(57)【要約】【課題】  センターケースに取込まれた遊技球がより高い確率で入賞することができるパチンコ機を実現する。【解決手段】  球出口８の奥には、振分室２が形成されており、その後壁６には、左右方向に平行に配置された２本の命釘７ａが打ち込まれている。命釘７ａは、振分室２を通過して球出口８から前方へ突出している。振分室２において命釘７ａ間に流入した遊技球は、そのまま落下し、流下経路１１を経て検出スイッチ４０により検出される。また、命釘７ａ間に流入しなかった遊技球は、非誘導部３ａ上を転動して球出口８から遊技領域２０ａへ排出される。【選択図】  図６
2006230461.tif 000002
【特許請求の範囲】
【請求項１】
遊技盤と、
この遊技盤の遊技領域に設けられており、前記遊技領域を流下する遊技球を受入れるための開口部が設けられたハウジングと、
前記遊技領域内に開口しており、前記開口部から前記ハウジングの内部に受入れられた遊技球を前記遊技領域へ排出可能な排出口と、
前記遊技領域を流下した遊技球が入賞可能な入賞口を前記排出口の直下に有する入賞部材とを備えたパチンコ機において、
前記入賞口の直上には、前記排出口から排出される遊技球を前記入賞口へ誘導する前方入賞領域と、この前方入賞領域を前記排出口の後方まで延長形成することにより前記排出口から後方に形成された後方入賞領域とが形成されており、
前記開口部から前記ハウジングの内部に受入れられた遊技球が前記後方入賞領域に入賞可能に構成されており、
前記前方入賞領域および前記後方入賞領域は、所定の部材によって規定されていることを特徴とするパチンコ機。
【請求項２】
前記所定の部材は、相対向する遊技釘間に前記前方入賞領域および前記後方入賞領域が形成された１対の遊技釘であることを特徴とする請求項１に記載のパチンコ機。
【請求項３】
前記後方入賞領域に入賞した遊技球を前記前方入賞領域を通過させないで流下させる流下経路と、
この流下経路を流下する遊技球を検出する検出手段とを備えたことを特徴とする請求項１または請求項２に記載のパチンコ機。
【請求項４】
前記後方入賞領域に入賞した遊技球を前記前方入賞領域へ誘導する誘導部が形成されていることを特徴とする請求項１または請求項２に記載のパチンコ機。
【請求項５】
前記所定の部材および前記誘導部は、前記誘導部を転動して前記排出口から露出した遊技球の中心が前記所定の部材の上端よりも下方となり、かつ、前記露出した遊技球の上端が前記所定の部材の下端よりも上方となるように構成されていることを特徴とする請求項４に記載のパチンコ機。
【請求項６】
前記開口部から前記ハウジングの内部に受入れられ、前記後方入賞領域に入賞しなかった遊技球を前記前方入賞領域へ誘導されないように前記排出口から排出する非誘導部が形成されていることを特徴とする請求項１ないし請求項５のいずれか１つに記載のパチンコ機。
【請求項７】
前記開口部から前記ハウジングの内部に受入れられた遊技球を前記後方入賞領域または前記非誘導部に振り分ける振分け手段を備えたことを特徴とする請求項６に記載のパチンコ機。
【請求項８】
前記排出口の上端と、前記排出口を通る前記所定の部材の上端との間隔は、遊技球の径よりも小さく形成されていることを特徴とする請求項１ないし請求項７のいずれか１つに記載のパチンコ機。
【請求項９】
前記誘導部の前端と前記入賞部材の後部上端とが連続状になっていることを特徴とする請求項４ないし請求項８のいずれか１つに記載のパチンコ機。
【請求項１０】
前記非誘導部は、前記誘導部の両側に設けられていることを特徴とする請求項６ないし請求項９のいずれか１つに記載のパチンコ機。
【発明の詳細な説明】
【技術分野】
【０００１】
この発明は、遊技領域を流下する遊技球を受入れて排出するセンターケースと、このセンターケースから排出された遊技球が入賞可能な入賞口とが設けられたパチンコ機に関する。
【背景技術】
【０００２】
従来、この種のパチンコ機として特許文献１に記載のものが知られている。このパチンコ機は、特別図柄表示装置（公報では液晶ディスプレイと記載）の外周部を囲むようにして設けられたセンターケースを備える。そのセンターケースの上端には、遊技球を受入れる球入口（公報では普通入賞手段と記載）が設けられており、センターケースの前面下部には、球入口から受入れられた遊技球を遊技領域へ排出する球出口（公報では出口穴と記載）が設けられている。その球出口から排出された遊技球の落下方向には、普通電動役物（公報では図柄始動手段と記載）が設けられており、その普通電動役物の下方には、変動入賞装置（公報では可変入賞手段と記載）が設けられている。
そして、球出口から排出された遊技球が普通電動役物に入賞すると、特別図柄表示装置が特別図柄の変動表示を開始し、大当り図柄が停止すると大当りが発生し、変動入賞装置が作動し、大入賞口が開口する。
【０００３】
【特許文献１】特開２００３−２４５５０号公報（第４〜８頁、図５）
【発明の開示】
【発明が解決しようとする課題】
【０００４】
しかし、上記従来のパチンコ機には、次のような問題があった。ここでは、その問題を説明するため、特許文献１に記載の図に代えて、本願発明者が考案したパチンコ機の図を使用する。図１０は、本願発明者が考案したパチンコ機の一部を拡大して示す斜視説明図である。図１０（Ａ）は、遊技球同士が衝突した様子を示す斜視説明図であり、図１０（Ｂ）は、衝突した遊技球同士が弾かれた様子を示す斜視説明図である。
センターケース５０に取り込まれた遊技球Ｐ１は、ステージ５２の上を転動し、球入口５３からセンターケース内部に入り、球出口５１から遊技領域２０ａへ排出される。このとき、図１０（Ａ）に示すように、センターケース５０に取り込まれないで遊技領域２０ａを流下してきた遊技球Ｐ２が、球出口５１から排出された遊技球Ｐ１に衝突することがある。このような衝突が発生すると、図１０（Ｂ）に示すように、遊技球Ｐ１は、弾かれて流下を阻止され、釘７ｂ，７ｂによって規定された入賞口１２ｂに入賞することができない。
特に、入賞口１２ｂは、一般の入賞口と異なり、当該入賞口１２ｂへの入賞に基づいて特別図柄表示装置が特別図柄を変動表示する契機となるものであるため、遊技者にとって非常に重要である。このため、折角、球出口５１から排出され、入賞口１２ｂに入賞する筈であった遊技球が、入賞できなくなってしまうのでは、遊技者に酷である。
【０００５】
そこでこの発明は、センターケースに取込まれた遊技球がより高い確率で入賞することができるパチンコ機を実現することを目的とする。
【課題を解決するための手段】
【０００６】
この発明は、上記目的を達成するため、請求項１ないし請求項１０に記載の発明では、遊技盤（２０）と、この遊技盤の遊技領域（２０ａ）に設けられており、前記遊技領域を流下する遊技球を受入れるための開口部（３５）が設けられたハウジング（３１）と、前記遊技領域内に開口しており、前記開口部から前記ハウジングの内部に受入れられた遊技球を前記遊技領域へ排出可能な排出口（８）と、前記遊技領域を流下した遊技球が入賞可能な入賞口（９）を上方に有する入賞部材（１２）とを備えたパチンコ機において、前記入賞口は、前記入賞部材の上方に形成された前方入賞領域（９ａ）と、この前方入賞領域を前記排出口の後方まで延長形成することにより前記排出口から後方に形成された後方入賞領域（９ｂ）とから構成されており、前記開口部から前記ハウジングの内部に受入れられた遊技球が前記後方入賞領域に入賞可能に構成されており、 前記前方入賞領域および前記後方入賞領域は、所定の部材（７ａ，７ａ）によって規定されているという技術的手段を用いる。なお、前方入賞領域とは、その領域を遊技球が通過することにより、入賞が確定する領域のことであり、後方入賞領域についても同様である。
【０００７】
請求項２に記載の発明では、請求項１に記載のパチンコ機において、前記所定の部材は、相対向する遊技釘間に前記前方入賞領域および前記後方入賞領域が形成された１対の遊技釘であるという技術的手段を用いる。
【０００８】
請求項３に記載の発明では、請求項１または請求項２に記載のパチンコ機において、前記後方入賞領域に入賞した遊技球を前記前方入賞領域を通過させないで流下させる流下経路（１１）と、この流下経路を流下する遊技球を検出する検出手段（４０）とを備えたという技術的手段を用いる。
【０００９】
請求項４に記載の発明では、請求項１または請求項２に記載のパチンコ機において、前記後方入賞領域に入賞した遊技球を前記前方入賞領域へ誘導する誘導部（３ｃ）が形成されているという技術的手段を用いる。
【００１０】
請求項５に記載の発明では、請求項４に記載のパチンコ機において、前記所定の部材および前記誘導部は、前記誘導部を転動して前記排出口から露出した遊技球の中心が前記所定の部材の上端よりも下方となり、かつ、前記露出した遊技球の上端が前記所定の部材の下端よりも上方となるように構成されているという技術的手段を用いる。
【００１１】
請求項６に記載の発明では、請求項１ないし請求項５のいずれか１つに記載のパチンコ機において、前記開口部から前記ハウジングの内部に受入れられ、前記後方入賞領域に入賞しなかった遊技球を前記前方入賞領域へ誘導されないように前記排出口から排出する非誘導部（３ａ）が形成されているという技術的手段を用いる。
【００１２】
請求項７に記載の発明では、請求項６に記載のパチンコ機において、前記開口部から前記ハウジングの内部に受入れられた遊技球を前記後方入賞領域または前記非誘導部に振り分ける振分け手段（６）を備えたという技術的手段を用いる。
【００１３】
請求項８に記載の発明では、請求項１ないし請求項７のいずれか１つに記載のパチンコ機において、前記排出口の上端と、前記排出口を通る前記所定の部材の上端との間隔は、遊技球の径よりも小さく形成されているという技術的手段を用いる。
【００１４】
請求項９に記載の発明では、請求項４ないし請求項８のいずれか１つに記載のパチンコ機において、前記誘導部の前端と前記入賞部材の後部上端とが連続状になっているという技術的手段を用いる。
【００１５】
請求項１０に記載の発明では、請求項６ないし請求項９のいずれか１つに記載のパチンコ機において、前記非誘導部は、前記誘導部の両側に設けられているという技術的手段を用いる。
なお、上記の括弧内の符号は、後述する実施形態において使用する符号と対応するものである。
【発明の効果】
【００１６】
（請求項１に係る発明の効果）
ハウジングの開口部から受入れられずに遊技領域を流下した遊技球が入賞可能な入賞口が、入賞部材の上方に形成された前方入賞領域と、この前方入賞領域を排出口の後方まで延長形成することにより排出口から後方に形成された後方入賞領域とから構成されており、開口部からハウジングの内部に受入れられた遊技球が後方入賞領域に入賞可能に構成されているため、ハウジングに受入れられた遊技球を排出口の後方において入賞させることができる。
従って、ハウジングの内部に取込まれた遊技球が、ハウジングに受け入れられないで遊技領域を流下してくる他の遊技球の干渉を受けずに、より高い確率で入賞することができるパチンコ機を実現することができる。
また、入賞部材の上方には前方入賞領域が形成されているため、ハウジングに受け入れられないで遊技領域を流下してくる遊技球は、前方入賞領域に入賞することができる。
さらに、後方入賞領域は、前方入賞領域を排出口の後方まで延長形成することにより排出口から後方に形成されているため、入賞領域が排出口の後方にまで延長形成されているという従来にはない斬新な構成を提供できるので、遊技者の関心を惹き付けることができる。
さらに、前方入賞領域および後方入賞領域は、所定の部材によって規定されているため、入賞領域の範囲を明確化することができる。
【００１７】
（請求項２に係る発明の効果）
相対向する１対の遊技釘という簡易な構成を用いることにより、前方入賞領域および後方入賞領域を形成することができるため、各入賞領域を形成するための製造コストの上昇を抑制することができる。また、後方入賞領域というものが存在せず、前方入賞領域に相当する入賞領域が、相対向する１対の遊技釘によって形成された構成のパチンコ機にあっては、その遊技釘よりも全長の長い遊技釘を同じ位置に配置することにより、後方入賞領域を形成できるため、遊技釘の配置を変更する必要がないので、遊技盤面の設計変更が容易である。
【００１８】
（請求項３に係る発明の効果）
後方入賞領域に入賞した遊技球を前方入賞領域を通過させないで流下させる流下経路と、この流下経路を流下する遊技球を検出する検出手段とを備えるため、前方入賞領域に入賞した遊技球および後方入賞領域に入賞した遊技球が共に同じ流下経路を流下する場合のように、流下経路中で遊技球の渋滞が発生するおそれがない。また、後方入賞領域に入賞した遊技球を前方へ迂回させないため、後方入賞領域に入賞した遊技球を速やかに検出することができる。
【００１９】
（請求項４に係る発明の効果）
後方入賞領域に入賞した遊技球を前方入賞領域へ誘導する誘導部が形成されているため、後方入賞領域に入賞した遊技球を確実に前方入賞領域へ入賞させることができる。
従って、遊技者は、遊技球が後方入賞領域に入賞した時点で、その遊技球の前方入賞領域への入賞を確信することができる。また、後方入賞領域に入賞した遊技球が、遊技者の視認可能な前方入賞領域へ誘導されるため、遊技者に入賞を確実に認識させることができる。
【００２０】
（請求項５に係る発明の効果）
所定の部材および誘導部は、誘導部を転動して排出口から露出した遊技球の中心が所定の部材の上端よりも下方となるように構成されているため、排出口から露出した遊技球が所定の部材の上端を超えてしまい、前方入賞領域に入賞できなくなるおそれがない。また、所定の部材および誘導部は、排出口から露出した遊技球の上端が所定の部材の下端よりも上方となるように構成されているため、排出口から露出した遊技球が所定の部材の下端から流出してしまい、前方入賞領域に入賞できなくなるおそれもない。
【００２１】
（請求項６に係る発明の効果）
後方入賞領域に入賞しなかった遊技球を前方入賞領域へ誘導されないように排出口から排出する非誘導部が形成されているため、後方入賞領域に入賞しなかった遊技球が前方入賞領域に誘導されない場合が発生することになるので、変化に富んだ遊技を楽しむことができる。また、前方入賞領域へ誘導されるかどうか、非常にスリルのある遊技を楽しむことができる。
【００２２】
（請求項７に係る発明の効果）
ハウジングの内部に受入れられた遊技球を後方入賞領域または非誘導部に振り分ける振分け手段を備えるため、遊技球が後方入賞領域または非誘導部に振り分けられる場合が発生することになるので、変化に富んだ遊技を楽しむことができる。また、遊技球が後方入賞領域および非誘導部のどちらに振り分けられるか、非常にスリルのある遊技を楽しむことができる。
【００２３】
（請求項８に係る発明の効果）
排出口の上端と、排出口を通る所定の部材の上端との間隔は、遊技球の径よりも小さく形成されているため、排出口へ流下する遊技球が所定の部材の上端に乗って流下した場合に、その遊技球が所定の部材の上端と排出口の上端との隙間から遊技領域へ排出されないようにして確実に後方入賞領域に入賞させることができる。また、ハウジングに受け入れられないで遊技領域を流下してくる遊技球が、所定の部材の上端と排出口の上端との隙間から、後方入賞領域の上方へ流入不能となる。従って、当該遊技球の干渉を、ハウジングに受入れられた遊技球は、さらに受け難くなり、より高い確率で入賞することができる。
【００２４】
（請求項９に係る発明の効果）
誘導部の前端と入賞部材の後部上端とが連続状になっているため、誘導部によって誘導される遊技球を確実に入賞部材に入賞させることができる。
【００２５】
（請求項１０に係る発明の効果）
非誘導部は、誘導部の両側に設けられているため、一方の側に設けられている構成よりも、遊技球が非誘導部を通過する経路が増加するので、その分、より一層変化に富んだ遊技を楽しむことができる。また、遊技球が非誘導部を通じて排出口から排出される確率が高くなるので、その分、より一層スリルのある遊技を楽しむことができる。
【発明を実施するための最良の形態】
【００２６】
＜第１実施形態＞
この発明の第１実施形態について説明する。
［全体の主要構成］
まず、この実施形態のパチンコ機の主要構成について図１および図２を参照して説明する。図１は、そのパチンコ機の外観を正面から見た説明図である。なお、以下の説明では、パチンコ機で遊技をする遊技者に向く方向を前方とし、その逆方向を後方とする。また、遊技者から見て左右方向を左右方向または横方向とし、縦方向を縦方向または上下方向とする。
図１に示すように、パチンコ機１には、外殻を構成する前枠２１が設けられており、その前枠２１にはガラス枠２２が開閉可能に取付けられている。ガラス枠２２の内側には遊技盤２０が設けられており、前枠２１の前面右下方には、遊技盤２０へ遊技球を発射する発射装置を操作する発射レバー２３が回動可能に取付けられている。遊技盤２０の下方には、払出された賞球や貸球を収容する上受け皿２４が設けられており、上受け皿２４の下方には、上受け皿２４の収容可能数を超えて流下した賞球を収容する下受け皿２５が設けられている。
【００２７】
［遊技盤の主要構成］
次に、遊技盤２０の主要構成について図２および図３を参照して説明する。図２は図１に示すパチンコ機に備えられた遊技盤を正面から見た概略説明図であり、図３は図１に示すパチンコ機に備えられた遊技盤を右斜め上方から見た概略説明図である。
遊技盤２０には、センターケース３０が備えられている。センターケース３０には、ハウジング３１が備えられており、そのハウジング３１には、複数の特別図柄を変動表示（スクロール表示ともいう）する図柄表示装置３２が備えられている。図柄表示装置３２の表示画面には、特別図柄を変動表示する表示領域が複数設定されている。この実施形態では、表示画面の横方向に３つの表示領域が設定されている。図柄表示装置３２は、各表示領域において複数の特別図柄（例えば０〜９の計１０種類の数字を表現した特別図柄）を縦に配列した図柄列をそれぞれ変動表示する。また、図柄表示装置３２は、表示画面の所定の表示領域において複数の普通図柄（例えば○や×などを表現した普通図柄）を変動表示する。
【００２８】
センターケース３０の下方には、左右に配置された命釘７ａ，７ａによって規定された図柄始動口９が設けられており、その図柄始動口９の直下には、図柄始動口９を通過した遊技球を受入れる受入部材１２が設けられている。受入部材１２の直下には、左右に開閉可能な開閉翼片１３ａ，１３ａを有する普通電動役物１３が設けられている。普通電動役物１３の直下には、大当りが発生したときに作動する変動入賞装置２６が設けられている。また、遊技盤２０には、案内レール４２と、普通図柄作動ゲート２７と、入賞口２８と、風車２９と、アウト口４１とが設けられており、遊技球の流下経路を規定する多くの遊技釘７が打ち込まれている。なお、上記案内レール４２により、遊技領域２０ａが略円形に区画形成されている。
【００２９】
［センターケース３０の主要構造］
次に、センターケース３０の主要構造について図３を参照して説明する。
センターケース３０のハウジング３１は、図柄表示装置３２の周囲を取り囲むように枠状に形成されており、遊技盤２０の盤面から前方へ突出して設けられている。ハウジング３１の上部を構成する上枠３１ａには、遊技球を取込む（受入れる）ための球取込口３５，３５が開口形成されており、上枠３１ａの内部には、球取込口３５から取り込まれた遊技球が横方向に流下するための横ワープルートが形成されている。
ハウジング３１の両側部を構成する縦枠３１ｂ，３１ｂには、上枠３１ａ内部の横ワープルートを流下した遊技球が縦方向に流下するための縦ワープルートがそれぞれ形成されている。縦枠３１ｂの内向きの壁面には、縦ワープルートを流下した遊技球を排出するための球排出口３６が開口形成されている。図３においては、左側の縦枠３１ｂに開口形成された球排出口３６が示されているが、実際には、右側の縦枠３１ｂにも同様の球排出口３６が開口形成されている。
【００３０】
ハウジング３１の下部を構成する下枠３１ｃの上面には、各球排出口３６から排出された遊技球が転動するためのステージ部が形成されている。この実施形態では、形成位置の高い順に第１ステージ部３１ｄ、第２ステージ部３１ｅ、第３ステージ部３１ｆの計３つのステージ部が階段状に形成されている。ステージ部の数は、１つ、２つ、または４つ以上でもよい。各ステージは、球排出口３６から排出された遊技球が転動可能な程度に起伏のある形状に形成されている。各ステージ部の前端には、ステージ上を転動する遊技球の落下を防止するための落下防止壁３１ｇが立ち上がり形成されており、その落下防止壁３１ｇの所定個所には、ステージ上を転動する遊技球を次のステージへ落下させるための落下部３１ｈが開口形成されている。第２ステージ部３１ｅの後方の壁には、第２ステージ部３１ｅを転動する遊技球がハウジング３１の内部へ入るための球入口３７が前後方向に貫通形成されている。この球入口３７は、他のステージに開口形成することもできるし、ステージの平面上に開口形成することもできる。また、複数開口形成することもできる。
【００３１】
［図柄始動口９の周辺構造］
次に、この発明の特徴である図柄始動口９の周辺構造について図４ないし図６を参照して説明する。
図４は図３において破線で囲まれた部分を拡大して示す説明図である。図４（Ａ）は遊技球が前方入賞領域および後方入賞領域に入賞した様子を示す説明図であり、図４（Ｂ）はハウジングから排出された遊技球が入賞しなかった様子を示す説明図である。図５は振分室および図柄始動口の説明図である。図５（Ａ）は振分室を拡大して示す斜視説明図であり、図５（Ｂ）は図柄始動口の説明図である。図６は図４に示す部分の縦断面を右側から見た説明図である。図６（Ａ）は取込口から取込まれた遊技球が後方入賞領域に入賞した場合の説明図であり、図６（Ｂ）は取込口から取込まれた遊技球が後方入賞領域に入賞しなかった場合の説明図である。
【００３２】
図６に示すように、ハウジング３１の内部には、球入口３７からハウジング３１の内部に入った遊技球が流下する流下経路１０が形成されている。流下経路１０は、球入口３７から入った遊技球を下方へ流下させるための縦型流下経路１０ａと、この縦型流下経路１０ａを流下した遊技球を前方へ流下させるための横型流下経路１０ｂとから構成される。横型流下経路１０ｂにおいて遊技球が転動する面は、遊技球が確実に前方へ流下するように下り勾配に形成されている。横型流下経路１０ｂの前方は、ハウジング３１の下枠３１ｃの前面壁によって塞がれており、横型流下経路１０ｂの突き当たりの下面には、横型流下経路１０ｂを流下してきた遊技球が下方に落下するための球落下口１０ｃが上下方向に貫通形成されている。
球落下口１０ｃの直下には、落下した遊技球の流下経路を振分ける空間である振分室２が形成されている。下枠３１ｃの下端に形成された垂下部３１ｉの直下であって、遊技盤２０の盤面には、球出口８が前後方向に貫通形成されている。振分室２の前面の一部が球出口８であり、上面の一部が球落下口１０ｃである。つまり、球出口８の正面から見ると、球出口８の後方に振分室２が形成されている。振分室２および球出口８は、複数（この実施形態では３個）の遊技球が横方向に並んで流下できる大きさに形成されている。図５に示すように、振分室２の後面には、後壁６が形成されており、右側面には右側壁４が、左側面には左側壁５がそれぞれ形成されている。
【００３３】
後壁６の壁面には、命釘７ａ，７ａの基部が打ち込まれている。命釘７ａ，７ａは、左右に平行に配置されており、各命釘７ａの頭部は、それぞれ振分室２の内部空間を通過して球出口８から前方へ突出している。図５（Ｂ）に示すように、各命釘７ａ間には、図柄始動口９が形成されている。図柄始動口９は、球出口８を境にして前方側が前方入賞領域９ａに、後方側が後方入賞領域９ｂにそれぞれ設定されている。図５（Ｂ）において前方で破線で囲まれた領域が前方入賞領域９ａであり、後方で破線で囲まれた領域が後方入賞領域９ｂである。前方入賞領域９ａおよび後方入賞領域９ｂは、それぞれ遊技球がようやく１個上下方向に通過可能な間隔に形成されている。
つまり、図柄始動口９は、前方入賞領域９ａと、この前方入賞領域９ａを球出口８の後方まで延長形成することにより球出口８から後方に形成された後方入賞領域９ｂとから構成されている。
前方入賞領域９ａの直下には、受入部材１２が設けられている。受入部材１２の内部には、遊技球を受け入れるための受入口１２ａが上下方向に貫通形成されている。受入口１２ａは、前方入賞領域９ａの直下に形成されており、その横断面の面積は、前方入賞領域９ａの面積に略等しくなるように形成されている。また、命釘７ａの下端と、受入口１２ａの上端との間隔は、遊技球の径よりも小さく形成されているため、命釘７ａと受入口１２ａとの間から遊技球が侵入するおそれがない。
【００３４】
振分室２の下面３であって後方入賞領域９ｂの直下には、上方から後方入賞領域９ｂを通過した遊技球を振分室２の下方へ流下させるための球落下口３ｂが、上下方向に貫通形成されている。球落下口３ｂの左右方向の幅は、後方入賞領域９ｂの横幅に略等しくなるように形成されている。振分室２の下面３であって球落下口３ｂの両側には、非誘導部３ａがそれぞれ形成されている。各非誘導部３ａは、球落下口１０ｃから振分室２の内部に流入したが後方入賞領域９ｂに入賞しなかった遊技球を前方入賞領域９ａに入賞しないように球出口８へ誘導するものであり、後方から前方へ下り勾配の斜面に形成されている。つまり、振分室２は、ハウジング３１の内部に取込まれた遊技球を後方入賞領域９ｂまたは非誘導部３ａに振り分ける役割をする。また、非誘導部３ａの両側に存在する側壁と命釘７ａとの間隔は、遊技球が非誘導部３ａ上を転動可能な幅に形成されている。
【００３５】
各非誘導部３ａは、命釘７ａの下端よりも低い位置に形成されているため、非誘導部３ａ上を転動中の遊技球が左右に振られても命釘７ａによって規制されるため、命釘７ａを乗り越えて前方入賞領域９ａに入賞してしまうおそれがない。また、非誘導部３ａの斜面を転動して下る遊技球は、側壁と命釘７ａとの間に入り込んだ形態になるので、誘導方向が安定し、確実に球出口８から遊技領域２０ａへ排出される。球落下口１０ｃから振分室２に落下する遊技球の落下位置は、後方入賞領域９ｂ、左側の非誘導部３ａおよび右側の非誘導部３ａの計３箇所であり、どの位置に落下するかは、球落下口１０ｃから出るときの位置、つまり流下経路１０を流下するときの流下経路によって決定されるが、それは流下態様によって変化する。
球出口８の上端（垂下部３１ｉの下端）と、球出口８を通る命釘７ａの上端との間隔は、遊技球の径よりも小さく形成されているため、球落下口１０ｃから振分室２に流入した遊技球が命釘７ａに乗った場合に、その遊技球が命釘７ａの上端と球出口８の上端との隙間から遊技領域２０ａへ排出されないようにして確実に後方入賞領域９ｂに入賞させることができる。また、ハウジング３１の球取込口３５から取込まれずに遊技領域２０ａを流下してくる遊技球が、命釘７ａの上端と球出口８の上端（垂下部３１ｉの下端）との隙間から、後方入賞領域９ｂの上方へ流入不能となる。従って、当該遊技球の干渉を、ハウジング３１に取込まれた遊技球は、さらに受け難くなり、より高い確率で後方入賞領域９ｂに入賞することができる。
【００３６】
普通電動役物１３に設けられた左右の開閉翼片１３ａの相対向する面間には、閉成した状態において、遊技球が流下可能な空間が上下方向に形成され、その空間の上方は、受入口１２ａに連通している。つまり、受入口１２ａを流下した遊技球は、開閉翼片１３ａ間を流下する。普通電動役物１３の後方の遊技盤２０には、開閉翼片１３ａ間を流下した遊技球を遊技盤２０の裏面側へ取り込むための取込口１３ｂが開口形成されている。
振分室２の球落下口３ｂの直下には、球落下口３ｂから落下した遊技球を遊技盤２０の裏面側へ流下させるための流下経路１１が形成されている。流下経路１１は、球落下口３ｂから落下した遊技球を下方へ流下させるための縦型流下経路１１ａと、この縦型流下経路１１ａを流下した遊技球を遊技盤２０の裏面側へ流下させるための横型流下経路１１ｂと、この横型流下経路１１ｂを流下した遊技球を下方に流下させるための縦型流下経路１１ｃとから構成される。縦型流下経路１１ｃの下方には、縦型流下経路１１ｃを流下する遊技球を検出する検出スイッチ４０が設けられている。検出スイッチ４０としては、変流器、光センサなどの検出手段が適用可能である。普通電動役物１３の後方に形成された取込口１３ｂは、流下経路１１と連通している。縦型流下経路１１ｃの近傍には、普通電動役物１３の各開閉翼片１３ａが開閉するための動力源になるソレノイド１４が配置されている。
【００３７】
［主な遊技内容］
発射レバー２３（図１）を操作すると、上受け皿２４に収容されていた遊技球Ｐ１が案内レール４２に沿って遊技領域２０ａへ案内される。そして、遊技領域２０ａを流下する遊技球Ｐ１がセンターケース３０の球取込口３５（図３）からハウジング３１の内部に取込まれると、その遊技球Ｐ１は、上枠３１ａ内部の横ワープルートを流下して縦枠３１ｂ内部の縦ワープルートを流下し、縦枠３１ｂの球排出口３６から第１ステージ部３１ｄ上へ排出され、第１ステージ部３１ｄ上を転動し、落下部３１ｈから第２ステージ部３１ｅ上へ落下し、第２ステージ部３１ｅ上を転動し、球入口３７から再びハウジング３１の内部へ入る（図４）。
そして、ハウジング３１の内部へ入った遊技球Ｐ１は、流下経路１０（図６）を流下し、球落下口１０ｃから振分室２に落下する。振分室２に落下し、後方入賞領域９ｂに入賞した遊技球Ｐ１は、球落下口３ｂから落下し、流下経路１１を流下し、検出スイッチ４０により検出される（図６（Ａ））。遊技球Ｐ１が後方入賞領域９ｂに入賞しようとすると同時に、遊技領域２０ａを流下してきた遊技球Ｐ２が前方入賞領域９ａに入賞しようとする場合であっても、後方入賞領域９ｂに入賞しようとする遊技球Ｐ１は、前方入賞領域９ａに入賞しようとする遊技球Ｐ２の干渉を受けることなく後方入賞領域９ｂに入賞することができ、さらに確実に検出スイッチ４０により検出される（図６（Ａ））。
【００３８】
また、球落下口１０ｃから振分室２の側壁４寄り、または側壁５寄りに落下した遊技球、つまり後方入賞領域９ｂに入賞できなかった遊技球Ｐ１は、非誘導部３ａ上を前方へ転動し、排出口８から遊技領域２０ａへ排出され、受入部材１２の受入口１２ａにも受入れられることなく、遊技領域２０ａを流下する（図６（Ｂ））。また、センターケース３０に取込まれることなく、排出口８の前方を流下し、前方入賞領域９ａに入賞した遊技球Ｐ２（図６（Ａ））は、受入部材１２の受入口１２ａに受入れられ、普通電動役物１３の開閉翼片１３ａ間を流下し、取込口１３ｂから流下経路１１に取込まれ、流下経路１１を流下して検出スイッチ４０により検出される。
【００３９】
検出スイッチ４０が遊技球を検出すると、図柄表示装置３２が特別図柄の変動表示を開始し、大当り図柄が停止表示されると、大当りが発生し、変動入賞装置２６の開閉部材２６ａが開放し、大入賞口２６ｂが開口する。そして、大入賞口２６ｂに入賞した遊技球の数が規定数（例えば１０個）に達したという条件、あるいは、大入賞口２６ｂが開口してから規定時間（例えば約３０秒）に達したという条件のいずれかが満足されたときに開閉部材２６ａが閉成し、大入賞口２６ｂが閉口する。大入賞口２６ｂの開口から閉口までを１ラウンドとし、大入賞口２６ｂに入賞した遊技球が大入賞口２６ｂの内部に設けられた特別領域を通過したことを条件に次のラウンドに進むことができ、規定のラウンド数（例えば１５ラウンド）の大当り遊技を行うことができる。
【００４０】
また、特別図柄の変動中に遊技球が検出スイッチ４０により検出された場合は、その検出に基づく特別図柄の変動表示は保留され、現在行われている特別図柄の変動表示が終了した後に、保留されている変動表示が行われる。その保留されている数（以下、特別図柄始動記憶数という）は、センターケース３０に設けられた特別図柄始動記憶数表示装置３３により表示される。この実施形態では、特別図柄始動記憶数の上限は４個である。また、特別図柄始動記憶数表示装置３３は、ＬＥＤを内蔵した４個のランプにより構成されており、そのランプの点灯数により特別図柄始動記憶数を表示する。
また、遊技球が普通図柄作動ゲート２７を通過すると、図柄表示装置３２が普通図柄の変動表示を開始し、当り普通図柄が停止表示されると、普通電動役物１３の左右の開閉翼片１３ａが開放し、前方入賞領域９ａの入賞領域が拡大される。開放した開閉翼片１３ａから入賞した遊技球は、取込口１３ｂから流下経路１１に取込まれ、検出スイッチ４０により検出される。普通図柄の変動中に遊技球が普通図柄作動ゲート２７を通過した場合は、その通過に基づく普通図柄の変動表示は保留され、現在行われている普通図柄の変動表示が終了した後に、保留されている変動表示が行われる。その保留されている数（以下、普通図柄始動記憶数という）は、センターケース３０に設けられた普通図柄始動記憶数表示装置３４により表示される。この実施形態では、普通図柄始動記憶数の上限は４個である。また、普通図柄始動記憶数表示装置３４は、ＬＥＤを内蔵した４個のランプにより構成されており、そのランプの点灯数により普通図柄始動記憶数を表示する。
【００４１】
［第１実施形態の効果］
（１）以上のように、上述の第１実施形態のパチンコ機１を使用すれば、ハウジング３１の球取込口３５から取込まれずに遊技領域２０ａを流下した遊技球が入賞可能な図柄始動口９が、受入部材１２の上方に形成された前方入賞領域９ａと、この前方入賞領域９ａを球出口８の後方まで延長形成することにより球出口８から後方に形成された後方入賞領域９ｂとから構成されており、球取込口３５からハウジング３１の内部に受入れられた遊技球が後方入賞領域９ｂに入賞可能に構成されているため、ハウジング３１に受入れられた遊技球を球出口８の後方において入賞させることができる。
従って、ハウジング３１の内部に受入れられた遊技球が、ハウジング３１に受け入れられないで遊技領域２０ａを流下してくる他の遊技球の干渉を受けずに、より高い確率で入賞することができるパチンコ機を実現することができる。
【００４２】
（２）しかも、受入口１２ａの上方には前方入賞領域９ａが形成されているため、ハウジング３１に受け入れられないで遊技領域２０ａを流下してくる遊技球は、前方入賞領域９ａに入賞することができる。
（３）また、後方入賞領域９ｂは、前方入賞領域９ａを球出口８の後方まで延長形成することにより球出口８から後方に形成されているため、入賞領域が球出口８の後方にまで延長形成されているという従来にはない斬新な構成を提供できるので、遊技者の関心を惹き付けることができる。
（４）さらに、前方入賞領域９ａおよび後方入賞領域９ｂは、命釘７ａ，７ａによって規定されているため、入賞領域の範囲を明確化することができる。
【００４３】
（５）相対向する１対の命釘７ａ，７ａという簡易な構成を用いることにより、前方入賞領域９ａおよび後方入賞領域９ｂを形成することができるため、各入賞領域を形成するための製造コストの上昇を抑制することができる。
（６）後方入賞領域というものが存在せず、前方入賞領域に相当する入賞領域が、相対向する１対の命釘によって形成された構成のパチンコ機にあっては、その遊技釘よりも全長の長い命釘を同じ位置に配置することにより、後方入賞領域を形成できるため、命釘の配置を変更する必要がないので、遊技盤面の設計変更が容易である。
【００４４】
（７）後方入賞領域９ｂに入賞した遊技球を前方入賞領域９ａを通過させないで流下させる流下経路１１と、この流下経路１１を流下する遊技球を検出する検出スイッチ４０とを備えるため、入賞領域９ａに入賞した遊技球および後方入賞領域９ｂに入賞した遊技球が共に同じ流下経路を流下する場合のように、流下経路中で遊技球の渋滞が発生するおそれがない。また、後方入賞領域９ｂに入賞した遊技球を前方へ迂回させないため、後方入賞領域９ｂに入賞した遊技球を速やかに検出することができる。
（８）後方入賞領域９ｂに入賞しなかった遊技球を前方入賞領域９ａへ誘導されないように球出口８から排出する非誘導部３ａ，３ａが形成されているため、後方入賞領域９ｂに入賞しなかった遊技球が前方入賞領域９ａに誘導されない場合が発生することになるので、変化に富んだ遊技を楽しむことができる。また、前方入賞領域９ａへ誘導されるかどうか、非常にスリルのある遊技を楽しむことができる。
【００４５】
（９）ハウジング３１の内部に受入れられた遊技球を後方入賞領域９ｂまたは非誘導部３ａに振り分ける振分室２を備えるため、遊技球が後方入賞領域９ｂまたは非誘導部３ａに振り分けられる場合が発生することになるので、変化に富んだ遊技を楽しむことができる。また、遊技球が後方入賞領域９ｂおよび非誘導部３ａのどちらに振り分けられるか、非常にスリルのある遊技を楽しむことができる。
（１０）球出口８の上端と、球出口８を通る命釘７ａの上端との間隔は、遊技球の径よりも小さく形成されているため、球出口８へ流下する遊技球が命釘７ａの上端に乗って流下した場合に、その遊技球が命釘７ａの上端と球出口８の上端との隙間から遊技領域２０ａへ排出されないようにして確実に後方入賞領域９ｂに入賞させることができる。また、ハウジング３１に受け入れられないで遊技領域２０ａを流下してくる遊技球が、命釘７ａの上端と球出口８の上端との隙間から、後方入賞領域９ｂの上方へ流入不能となる。従って、当該遊技球の干渉を、ハウジング３１に受入れられた遊技球は、さらに受け難くなり、より高い確率で入賞することができる。
【００４６】
＜第２実施形態＞
次に、この発明の第２実施形態について図７ないし図９を参照して説明する。この実施形態のパチンコ機は、振分室に流下した遊技球を総て球出口から遊技領域２０ａへ排出することを特徴とする。
図７は遊技盤の一部を拡大して示す説明図である。図７（Ａ）は遊技球が前方入賞領域および後方入賞領域に入賞した様子を示す説明図であり、図７（Ｂ）はハウジングから排出された遊技球が入賞しなかった様子を示す説明図である。図８は振分室および図柄始動口の説明図である。図９は図７に示す部分の縦断面を右側から見た説明図である。図９（Ａ）は取込口から取込まれた遊技球が後方入賞領域に入賞した場合の説明図であり、図９（Ｂ）は取込口から取込まれた遊技球が後方入賞領域に入賞しなかった場合の説明図である。なお、この実施形態のパチンコ機は、図柄始動口の周辺構造以外は、第１実施形態のパチンコ機１と同じ構成および機能であるため、同じ部分の説明を簡略化または省略し、同じ構成については同じ符号を用いる。
【００４７】
図８に示すように、振分室２の底面であって命釘７ａ，７ａによって規定された後方入賞領域９ｂの下方には、誘導部３ｃが形成されており、その誘導部３ｃの両側には非誘導部３ａがそれぞれ形成されている。誘導部３ｃおよび非誘導部３ａは、球出口８の下端に向けて下り勾配に形成された斜面であり、振分室２に流下した遊技球を総て球出口８へ誘導する。
図７（Ａ）に示すように、後方入賞領域９ｂに入賞した遊技球は、命釘７ａ，７ａおよび誘導部３ｃによって前方へ誘導され、球出口８から排出され、前方入賞領域９ａを介し、受入部材１２の受入口１２ａに受け入れられる。
この場合、図９（Ａ）に示すように、命釘７ａおよび誘導部３ｃは、誘導部３ｃを転動して球出口８から露出した遊技球Ｐ１の中心が命釘７ａの上端よりも下方となるように構成されているため、遊技球Ｐ１が後方入賞領域９ｂに対して、その一部を進入させた状態で、球出口８から露出した時、命釘７ａを乗り越えてしまい、前方入賞領域９ａに入賞できなくなるおそれがない。また、命釘７ａおよび誘導部３ｃは、球出口８から露出した遊技球Ｐ１の上端が命釘７ａの下端よりも上方となるように構成されているため、球出口８から露出した遊技球Ｐ１が命釘７ａの下端から側方へ流出してしまい、前方入賞領域９ａに入賞できなくなるおそれもない。
また、誘導部３ｃの下り方向の前端と受入部材１２の後部上端とは、連続状になっているため、誘導部３ｃによって誘導される遊技球を確実に受入部材１２に受入れさせることができる。
【００４８】
また、図７（Ｂ）に示すように、命釘７ａの外方（側壁４，５側）へ落下した遊技球は、非誘導部３ａによって球出口８へ誘導され、前方入賞領域９ａに入賞することなく、遊技領域２０ａへ排出され、受入部材１２の側方を流下する。この場合も、図９（Ｂ）に示すように、命釘７ａおよび非誘導部３ａは、非誘導部３ａを転動して球出口８から露出した遊技球Ｐ１の中心が命釘７ａの上端よりも下方となるように構成されているため、後方入賞領域９ｂに入賞して球出口８から露出した遊技球Ｐ１が命釘７ａの上端を超えてしまい、前方入賞領域９ａに入賞してしまうおそれがない。また、命釘７ａおよび非誘導部３ａは、球出口８から露出した遊技球Ｐ１の上端が命釘７ａの下端よりも上方となるように構成されているため、球出口８から露出した遊技球Ｐ１が命釘７ａの下端から前方入賞領域９ａに流入してしまうおそれもない。
【００４９】
［第２実施形態の効果］
（１）以上のように、上記第２実施形態のパチンコ機１を使用すれば、後方入賞領域９ｂに入賞した遊技球を前方入賞領域９ａへ誘導する誘導部３ｃが形成されているため、後方入賞領域９ｂに入賞した遊技球が確実に前方入賞領域９ａへ誘導することができる。また、後方入賞領域９ｂに入賞した遊技球が、遊技者の視認可能な前方入賞領域９ａへ誘導されるため、遊技者に入賞を確実に認識させることができる。
（２）しかも、命釘７ａおよび誘導部３ｃは、誘導部３ｃを転動して球出口８から露出した遊技球の中心が命釘７ａの上端よりも下方となるように構成されているため、球出口８から露出した遊技球が命釘７ａを乗り越えてしまい、前方入賞領域９ａに入賞できなくなるおそれがない。また、命釘７ａおよび誘導部３ｃは、球出口８から露出した遊技球の上端が命釘７ａの下端よりも上方となるように構成されているため、球出口８から露出した遊技球が命釘７ａの下端から側方へ流出してしまい、前方入賞領域９ａに入賞できなくなるおそれがない。
【００５０】
（３）また、誘導部３ｃの下り方向の前端と受入部材１２の後部上端とが連続状になっているため、誘導部３ｃによって誘導される遊技球を確実に受入部材１２に受入れさせることができる。
（４）さらに、非誘導部３ａは、誘導部３ｃの両側に設けられているため、一方の側に設けられている構成よりも、遊技球が非誘導部３ａを通過する流下経路が増加するので、その分、より一層変化に富んだ遊技を楽しむことができる。また、遊技球が非誘導部３ａを通じて球出口８から排出される確率が高くなるので、その分、より一層スリルのある遊技を楽しむことができる。
（５）第２実施形態のパチンコ機１は、図柄始動口９の周辺構造の一部を除いて第１実施形態のパチンコ機１と同じ構成および機能であるため、第１実施形態の効果（１）〜（６）および（８）〜（１０）と同じ効果を奏することができる。
【００５１】
＜他の実施形態＞
（１）上記各実施形態では、左右に平行に配置した２本の命釘７ａによって図柄始動口９を規定する構成を採用したが、２本の命釘７ａに代えて、前後に長い長方形または長円形の孔が上下方向に貫通形成された部材を用いることもできる。その部材は、金属材料、合成樹脂製材料により形成することができる。つまり、前方入賞領域９ａまたは後方入賞領域９ｂに入賞した遊技球が確実に検出スイッチ４０によって検出されることができれば、構造および材料は限定されない。
（２）非誘導部３ａは一方だけ設けることもできる。
（３）前方入賞領域９ａを後方入賞領域９ｂよりも広い面積に形成することもできる。また、逆に、後方入賞領域９ｂを前方入賞領域９ａよりも広い面積に形成することもできる。この構成によれば、振分室２から球出口８へ向かう流下経路を増やすことができる。
（４）図柄始動口９の部分を一般の入賞口（賞球が払出されるだけで図柄の変動表示などの契機とならないもの）に適用することもできる。
（５）ハウジング３１の球取込口３５から振分室２に至るまでの流下経路は、各実施形態に記載のものに限定されるものではなく設計変更可能である。例えば、取込口から取込まれた遊技球が外部から見えることなく、振分室２に流下する流下経路でもよい。
【図面の簡単な説明】
【００５２】
【図１】この発明の実施形態に係るパチンコ機の外観を正面から見た説明図である。
【図２】図１に示すパチンコ機に備えられた遊技盤を正面から見た概略説明図である。
【図３】図１に示すパチンコ機に備えられた遊技盤を右斜め上方から見た概略説明図である。
【図４】図３において破線で囲まれた部分を拡大して示す説明図である。図４（Ａ）は遊技球が前方入賞領域および後方入賞領域に入賞した様子を示す説明図であり、図４（Ｂ）はハウジングから排出された遊技球が入賞しなかった様子を示す説明図である。
【図５】振分室および図柄始動口の説明図である。図５（Ａ）は振分室を拡大して示す斜視説明図であり、図５（Ｂ）は図柄始動口の説明図である。
【図６】図４に示す部分の縦断面を右側から見た説明図である。図６（Ａ）は取込口から取込まれた遊技球が後方入賞領域に入賞した場合の説明図であり、図６（Ｂ）は取込口から取込まれた遊技球が後方入賞領域に入賞しなかった場合の説明図である。
【図７】第２実施形態における遊技盤の一部を拡大して示す説明図である。図７（Ａ）は遊技球が前方入賞領域および後方入賞領域に入賞した様子を示す説明図であり、図７（Ｂ）はハウジングから排出された遊技球が入賞しなかった様子を示す説明図である。
【図８】振分室および図柄始動口の説明図である。
【図９】図７に示す部分の縦断面を右側から見た説明図である。図９（Ａ）は取込口から取込まれた遊技球が後方入賞領域に入賞した場合の説明図であり、図９（Ｂ）は取込口から取込まれた遊技球が後方入賞領域に入賞しなかった場合の説明図である。
【図１０】本願発明者が考案したパチンコ機の一部を拡大して示す斜視説明図である。図１０（Ａ）は、遊技球同士が衝突した様子を示す斜視説明図であり、図１０（Ｂ）は、衝突した遊技球同士が弾かれた様子を示す斜視説明図である。
【符号の説明】
【００５３】
１・・パチンコ機、２・・振分室（振分け手段）、３ａ・・非誘導部、３ｃ・・誘導部、７ａ・・命釘（所定の部材）、８・・球出口（排出口）、９・・図柄始動口（入賞口）、９ａ・・前方入賞領域、９ｂ・・後方入賞領域、１２・・受入部材（入賞部材）、１２ａ・・受入口、２０・・遊技盤、３０・・センターケース、３１・・ハウジング、３２・・図柄表示装置、３５・・球取込口（開口部）。
【図１】
2006230461.tif 000003
【図２】
2006230461.tif 000004
【図３】
2006230461.tif 000005
【図４】
2006230461.tif 000006
【図５】
2006230461.tif 000007
【図６】
2006230461.tif 000008
【図７】
2006230461.tif 000009
【図８】
2006230461.tif 000010
【図９】
2006230461.tif 000011
【図１０】
2006230461.tif 000012